(57)【特許請求の範囲】
【請求項１】
複数の給紙段を有する画像形成装置であって、
前記複数の給紙段それぞれに対して複数の項目からなる用紙タイプを設定する設定手段と、
前記設定手段により設定された給紙段毎の用紙タイプ履歴を記憶する記憶手段と、
前記記憶手段に記憶されている前記給紙段毎の用紙タイプ履歴を取得する取得手段と、前記複数の給紙段のうち１つの給紙段に対して用紙タイプを設定するための設定画面に、前記取得手段により取得された前記給紙段毎の用紙タイプ履歴を、選択可能な状態で表示手段に表示する表示制御手段とを有し、
前記設定手段は、前記１つの給紙段に対して、前記表示制御手段により表示された前記設定画面を介して前記給紙段毎の用紙タイプ履歴から選択された用紙タイプを設定することを特徴とする画像形成装置。
【請求項２】
前記表示制御手段は、前記給紙段毎の用紙タイプ履歴のうち、前記１つの給紙段に対して設定可能な用紙タイプの履歴と設定不可能な用紙タイプの履歴とを識別可能な状態で前記設定画面を前記表示手段に表示することを特徴とする請求項１に記載の画像形成装置。
【請求項３】
前記表示制御手段は、前記１つの給紙段における用紙なしエラーの種類に応じて、前記表示手段に表示する内容を変更することを特徴とする請求項１または２いずれかに記載の画像形成装置。
【請求項４】
前記表示制御手段は、前記１つの給紙段における用紙なしエラーが当該給紙段に用紙が一枚も無い状態であることによるエラーであった場合に、前記給紙段毎の用紙タイプ履歴のうち、当該給紙段に現在設定されている用紙タイプの用紙タイプ履歴と当該給紙段に現在設定されている用紙タイプとは異なる用紙タイプ履歴とを識別可能な状態で前記設定画面を前記表示手段に表示することを特徴とする請求項３に記載の画像形成装置。
【請求項５】
前記表示制御手段は、前記１つの給紙段における用紙なしエラーが当該給紙段に次ページの印刷に必要な用紙タイプが設定されていないことによるエラーであった場合に、前記給紙段毎の用紙タイプ履歴のうち、前記次ページに対して指定されている用紙タイプの用紙タイプ履歴とを他の用紙タイプ履歴とを識別可能な状態で前記設定画面を前記表示手段に表示することを特徴とする請求項３または４にいずれかに記載の画像形成装置。
【請求項６】
前記表示制御手段は、前記給紙段毎の用紙タイプのうち優先度の高い用紙タイプ履歴を強調表示することで他の用紙タイプ履歴と識別可能とすることを特徴とする請求項２乃至５いずれか１項に記載の画像形成装置。
【請求項７】
前記表示制御手段は、前記給紙段毎の用紙タイプのうち優先度の低い用紙タイプ履歴をグレーアウト表示することで他の用紙タイプ履歴と識別可能とすることを特徴とする請求項２乃至６いずれか１項に記載の画像形成装置。
【請求項８】
前記記憶手段は、前記設定手段よって設定された用紙タイプが使用されたジョブ履歴情報を前記用紙タイプの用紙タイプ履歴と関連付けて記憶し、
前記表示制御手段は、前記ジョブ履歴情報に基づき、同一のジョブにおいて使用された複数の給紙段における用紙タイプ履歴をジョブ単位で選択可能な設定画面を前記表示手段に表示し、
前記設定手段は、前記設定画面を介して選択されたジョブ単位の用紙タイプ履歴に基づく用紙タイプを、前記複数の給紙段それぞれに対して設定することを特徴とする請求項１乃至７いずれか１項に記載の画像形成装置。
【請求項９】
前記複数の給紙段のうち用紙タイプを設定する対象給紙段を決定する決定手段をさらに有し、
前記表示制御手段は、前記決定手段により前記対象給紙段が決定されている場合には、給紙段単位で用紙タイプを設定可能な設定画面を表示し、前記対象給紙段が決定されていない場合にはジョブ単位で複数の給紙段に対してまとめて用紙タイプを設定可能な設定画面を表示することを特徴とする請求項８に記載の画像形成装置。
【請求項１０】
複数の給紙段を有する画像形成装置の制御方法であって、
前記複数の給紙段それぞれに対して複数の項目からなる用紙タイプを設定する設定工程と、
前記設定工程で設定された給紙段毎の用紙タイプ履歴を記憶部に記憶する記憶工程と、前記記憶工程で記憶された前記給紙段毎の用紙タイプ履歴を取得する取得工程と、
前記複数の給紙段のうち１つの給紙段に対して用紙タイプを設定するための設定画面に、前記取得工程で取得された前記給紙段毎の用紙タイプ履歴を、選択可能な状態で表示手段に表示する表示制御工程とを有し、
前記設定工程では、前記１つの給紙段に対して、前記表示制御工程で表示された前記設定画面を介して前記給紙段毎の用紙タイプ履歴から選択された用紙タイプを設定することを特徴とする制御方法。
【請求項１１】
前記表示制御工程では、前記給紙段毎の用紙タイプ履歴のうち、前記１つの給紙段に対して設定可能な用紙タイプの履歴と設定不可能な用紙タイプの履歴とを識別可能な状態で前記設定画面を前記表示手段に表示することを特徴とする請求項１０に記載の制御方法。
【請求項１２】
前記表示制御工程では、前記１つの給紙段における用紙なしエラーの種類に応じて、前記表示手段に表示する内容を変更することを特徴とする請求項１０または１１いずれかに記載の制御方法。
【請求項１３】
前記表示制御工程では、前記１つの給紙段における用紙なしエラーが当該給紙段に用紙が一枚も無い状態であることによるエラーであった場合に、前記給紙段毎の用紙タイプ履歴のうち、当該給紙段に現在設定されている用紙タイプの用紙タイプ履歴と当該給紙段に現在設定されている用紙タイプとは異なる用紙タイプ履歴とを識別可能な状態で前記設定画面を前記表示手段に表示することを特徴とする請求項１２に記載の制御方法。
【請求項１４】
前記表示制御工程では、前記１つの給紙段における用紙なしエラーが当該給紙段に次ページの印刷に必要な用紙タイプが設定されていないことによるエラーであった場合に、前記給紙段毎の用紙タイプ履歴のうち、前記次ページに対して指定されている用紙タイプの用紙タイプ履歴とを他の用紙タイプ履歴とを識別可能な状態で前記設定画面を前記表示手段に表示することを特徴とする請求項１２または１３にいずれかに記載の制御方法。
【請求項１５】
前記表示制御工程では、前記給紙段毎の用紙タイプのうち優先度の高い用紙タイプ履歴を強調表示することで他の用紙タイプ履歴と識別可能とすることを特徴とする請求項１１乃至１４いずれか１項に記載の制御方法。
【請求項１６】
前記表示制御工程では、前記給紙段毎の用紙タイプのうち優先度の低い用紙タイプ履歴をグレーアウト表示することで他の用紙タイプ履歴と識別可能とすることを特徴とする請求項１１乃至１５いずれか１項に記載の制御方法。
【請求項１７】
前記記憶工程では、前記設定工程で設定された用紙タイプが使用されたジョブ履歴情報を前記用紙タイプの用紙タイプ履歴と関連付けて前記記憶部に記憶し、
前記表示制御工程では、前記ジョブ履歴情報に基づき、同一のジョブにおいて使用された複数の給紙段における用紙タイプ履歴をジョブ単位で選択可能な設定画面を前記表示手段に表示し、
前記設定工程では、前記設定画面を介して選択されたジョブ単位の用紙タイプ履歴に基づく用紙タイプを、前記複数の給紙段それぞれに対して設定することを特徴とする請求項１０乃至１６いずれか１項に記載の制御方法。
【請求項１８】
前記複数の給紙段のうち用紙タイプを設定する対象給紙段を決定する決定工程をさらに有し、
前記表示制御工程では、前記決定工程で前記対象給紙段が決定されている場合には、給紙段単位で用紙タイプを設定可能な設定画面を表示し、前記対象給紙段が決定されていない場合にはジョブ単位で複数の給紙段に対してまとめて用紙タイプを設定可能な設定画面を表示することを特徴とする請求項１７に記載の制御方法。
【請求項１９】
請求項１０乃至１８のいずれか１項に記載の画像形成装置の制御方法の各工程をコンピュータに実行させるためのプログラム。
【発明の詳細な説明】
【技術分野】
【０００１】
本発明は、複数の給紙段を有し、それぞれの給紙段に対して用紙タイプの設定が必要な画像形成装置、その制御方法及びプログラムに関するものである。
【背景技術】
【０００２】
市場では、顧客のＤＭ印刷や請求書の印刷を目的としたＰＯＤ印刷の需要が高まっている。その中で、特に請求書の印刷などは決められた期間に顧客別の印刷物を大量に出力する必要があり、生産性の高い連続印刷が求められている。さらに、印刷物によっては、１つのジョブ内で複数の用紙タイプが使用され、オペレータは連続印刷の生産性を落とさないように効率的に用紙タイプを設定する必要がある。しかし、印刷装置の構成によっては、使用できる給紙段の数が印刷で使用される用紙タイプ数よりも少ない場合に頻繁に給紙段切り替えが発生する。このようなケースには、オペレータによる給紙段切り替え作業が頻繁に必要となり、一回の給紙段切り替えに発生する時間も全体の印刷の生産性に大きく影響する。現状、給紙段の用紙タイプ設定を行う際には、複数階層になっている用紙設定が面から用紙サイズ、用紙タイプをその都度選択する必要がある。また、使用される用紙タイプがカスタムの用紙タイプの場合には、設定されたカスタム用紙タイプの一覧から選択するため時間がかかり、経験値も必要なる。
【０００３】
このような用紙タイプ設定の複雑さや改善し、操作性を向上させた用紙タイプ簡易設定がある（例えば、特許文献１）。簡易設定画面では、予め決められた数の用紙タイプを表示させ、選択可能としている。さらに用紙タイプを選択する際の利便性、及び作業効率の向上を図るために、印刷ジョブの機能設定を元に選択可能な用紙タイプの条件を絞り込み、リスト形式で操作部に一覧表示させている。
【先行技術文献】
【特許文献】
【０００４】
【特許文献１】特開２００７−２４３３１３号公報
【発明の概要】
【発明が解決しようとする課題】
【０００５】
しかしながら、従来技術では簡易設定画面で設定可能なのは決められた数の用紙タイプの為、頻繁に異なる用紙タイプ切り替えが発生する場合には、以前設定した用紙タイプを再度簡易設定画面に登録し直す必要があり、ユーザの負荷が大きい。
【０００６】
そこで、本発明では、以前設定した用紙タイプの履歴から用紙タイプの設定を可能とすることで、ユーザの用紙タイプ設定にかかる負荷を減少させることにより、印刷全体の生産性を向上させる効果が得られる画像形成装置を提供することを目的とする。
【課題を解決するための手段】
【０００７】
上記の課題を解決するため、本発明による画像形成装置は、複数の給紙段を有する画像形成装置であって、前記複数の給紙段それぞれに対して複数の項目からなる用紙タイプを設定する設定手段と、前記設定手段により設定された給紙段毎の用紙タイプ履歴を記憶する記憶手段と、前記記憶手段に記憶されている前記給紙段毎の用紙タイプ履歴を取得する取得手段と、前記複数の給紙段のうち１つの給紙段に対して用紙タイプを設定するための設定画面に、前記取得手段により取得された前記給紙段毎の用紙タイプ履歴を、選択可能な状態で表示手段に表示する表示制御手段とを有し、前記設定手段は、前記１つの給紙段に対して、前記表示制御手段により表示された前記設定画面を介して前記給紙段毎の用紙タイプ履歴から選択された用紙タイプを設定することを特徴とする。
【発明の効果】
【０００８】
本発明により、ユーザの用紙タイプ設定にかかる負荷を減少させ、結果として印刷全体の生産性を向上させることが可能となる。
【図面の簡単な説明】
【０００９】
【図１】本発明の実施例における画像形成システムのシステム構成図。
【図２】本発明の実施例における画像形成装置のブロック図。
【図３】図２の操作部の構成を模式的に示す平面図。
【図４】図３のタッチパネル部に表示される初期画面の一例を示す図。
【図５】用紙タイプ履歴を用いた用紙設定処理のフローチャート。
【図６】設定画面の表示処理の詳細を示すフローチャート。
【図７】共通仕様設定画面の一例を示す図。
【図８】給紙段選択画面の一例を示す図。
【図９】履歴設定画面の一例を示す図。
【図１０】給紙段設定履歴記憶部が保持する用紙タイプ履歴情報の一例を示す図。
【図１１】エラー給紙段に用紙タイプ設定をする処理を示すフローチャート。
【図１２】印刷ジョブの次ページに指定されている用紙タイプを給紙段に対して設定する処理を示すフローチャート。
【図１３】実施例２における給紙段選択画面の一例を示す図。
【図１４】（ａ）給紙段紙なしエラー時に表示される履歴設定画面の一例を示す図。（ｂ）用紙未設定エラー時に表示される履歴設定画面の一例を示す図。
【図１５】ジョブ履歴を用いて用紙タイプを設定する処理を示すフローチャート。
【図１６】実施例３における給紙段選択画面の一例を示す図。
【図１７】（ａ）対象給紙段が選択されている場合の履歴設定画面の一例を示す図。（ｂ）対象給紙段が選択されていない場合の履歴設定画面の一例を示す図。
【図１８】給紙段履歴表示のリモートＵＩ画面の一例を示す図。
【発明を実施するための形態】
【００１０】
以下、本発明を実施するための最良の形態について図面を用いて説明する。
【実施例１】
【００１１】
まず、以下に説明する各実施例を適用可能な画像形成システムについて説明する。図１は、本発明の実施例１に係る画像形成システムの基本構成の一例を示すブロック図である。本実施形態に係る画像形成システムは、画像形成装置１０、プリントサーバ２０、ファイルサーバ３０、及びクライアントＰＣ４０を有する。画像形成装置１０、プリントサーバ２０、ファイルサーバ３０、及びクライアントＰＣ４０は、ＬＡＮ，ＷＡＮなどのネットワーク５０を介して通信可能に接続されている。
【００１２】
画像形成装置１０は、スキャン、プリント、コピーなどの様々な機能を有する。プリントサーバ２０は、画像形成装置１０で印刷を行う印刷ジョブを管理する。プリントサーバ２０は、画像形成装置１０における全ての印刷ジョブの状況を監視できるとともに、各印刷ジョブに対して一字停止、設定変更、印刷再開、複製、移動、及び削除などの制御を行うことができる。
【００１３】
ファイルサーバ３０は、バリアブル印刷に使用するバリアブルデータに係るデータベース、例えば宛先、住所、氏名などの顧客データからなる顧客データベースを保管する。クライアントＰＣ４０は、アプリケーションファイルの編集や印刷支持を行う機能を有する。また、クライアントＰＣ４０は、プリントサーバ２０内で管理されている画像形成装置１０における印刷ジョブの監視及び制御を補佐する機能を有する。オペレータはクライアントＰＣ４０を利用して印刷ジョブのステータスなどを確認することができる。
【００１４】
次に図２を用いて、画像形成装置１０の構成について説明する。図２は、画像形成装置１０の基本構成を示すブロック図である。
【００１５】
制御部２０１は、システムバス２１３を介して接続されている各構成を制御し、画像形成装置１０全体の動作を制御する。制御部２０１は、メモリ２０２に記憶されているプログラムを実行することで、画像形成装置１０の各構成を制御する。また、制御部２０１は、制御に必要なデータを一時的に格納するＲＡＭ、ＲＡＭに一時的に格納したデータを実行するＣＰＵなどから構成される。
【００１６】
操作部２０４はオペレータが各種入力を行うためのものであり、タッチパネル部２０４１とキー入力部２０４２により、構成される。この操作部２０４より給紙段に対する用紙タイプ設定を可能とする。操作部２０４の詳細については図３及び図４を用いて後述する。表示制御部２０３は、制御部２０１と、操作部２０４のタッチパネル部２０４１およびキー入力部２０４２とのインターフェイスとして機能する。表示制御部２０３は、タッチパネル部２０４１およびキー入力部２０４２から入力された情報を制御部２０１へ伝達し、また、タッチパネル部２０４１へ表示すべき表示情報を伝達する。
【００１７】
記憶部２１０は、ハードディスクなどの不揮発性のメモリから構成され、この記憶部２１０には、各処理により生成された画像データ、画像形成装置１０の制御情報及び設定情報が格納される。また記憶部２１０には、給紙段設定履歴記憶部２１１、ジョブ履歴記憶部２１２を有する。給紙段設定履歴記憶部２１１には、実行されたジョブが使用した各給紙段の用紙タイプ情報を格納されている。また、ジョブ履歴記憶部２１２には、実行されたジョブ毎のジョブ履歴情報が格納されている。また、記憶部２１０に対してデータの読み書きを行う場合、データの読み書きは、メモリ２０２を介して行われる。
【００１８】
スキャナ制御部２０６は、制御部２０１からの指示に基づいてスキャナ処理を制御する。給紙段設定部２０５は、給紙段設定履歴記憶部２１１の情報、またはジョブ履歴記憶部２１２の情報に基づいてタッチパネル部２０４１に表示する表示情報を制御し、表示制御部２０３に指示をする。外部インターフェイス２０７は、ネットワークまたは公衆回線などを介して外部装置との間で情報をやりとりする。ＲＩＰ部２０８は、制御部２０１の指示により、画像データに対してＲＩＰ（Ｒａｓｔｅｒ  Ｉｍａｇｅ  Ｐｒｏｃｅｓｓｏｒ）処理を施す。印刷部２０９は、ＲＩＰ部２０８でＲＩＰされた画像データに対して印刷処理を行う。
【００１９】
次に、操作部２０４の構成について図３および図４を用いて説明する。図３は操作部２０４の構成を模式的に示す平面図である。図４はタッチパネル部２０４１に表示される初期画面の一例を示す図である。
【００２０】
まず、図３を用いて、操作部２０４の主にキー入力部２０４２の構成について説明する。キー入力部２０４２は、定常的な操作設定を行うことができるキー入力部分である。操作部電源スイッチ３０１は、スタンバイモード（通常動作状態）とスリープモード（メインコントローラは、ネットワークプリントやファクシミリなどに備えて割り込み待ち状態でプログラムを停止して、消費電力を抑えている状態）を切り替えるものである。このスイッチ３０１は、システム全体の電源供給を行う主電源スイッチがＯＮ状態の場合に制御可能となる。節電キー３０２は、スタンバイモード時の定着器の制御温度を下げて、消費電力を抑えるためのキーである。節電率の設定により制御温度を下げることもできる。
【００２１】
スタートキー３０３は、コピーや送信などの開始を指示するキーであり、ストップキー３０４は、それを中断するキーである。テンキー３０５は、各種設定の置数を行うためのキーであり、クリアキー３０６は、その置数を解除するためのキーである。ＩＤキー３０７は、ＭＦＰの操作者を認証するために、予め設定された暗証番号を入力させるためのキーである。リセットキー３０８は、各種設定を無効にし、デフォルト状態に戻すためのキーである。ヘルプキー３０９は、ガイダンスやヘルプを表示させるためのキーであり、ユーザモードキー３１０は、共通仕様設定画面に移行するためのキーである。
【００２２】
カウンタ確認キー３１１は、ＭＦＰ内に設けてあるプリント枚数などをカウントするソフトカウンタに記憶されている出力済み枚数を表示させるためのキーである。コピー／プリント／スキャン／ファックスなどの動作モード、カラー／白黒といった色モード、ラージ／スモールといった紙サイズなどに応じて、それぞれの出力済み枚数を表示させることができる。画像コントラストダイヤル３１２は、タッチパネル部の液晶表示のバックライトを調光するなどして、画面の見易さを調整するためのダイヤルである。実行／メモリランプ３１３は、ジョブの実行中やメモリへのアクセス中に点滅して知らせるランプである。エラーランプ３１４は、ジョブの実行ができない場合やサービスマンコールなどのエラー、あるいは、ジャムや消耗品切れなどを知らせるオペレータコールなどの際に点滅して知らせるランプである。
【００２３】
次に、図４を用いて、タッチパネル部２０４１について説明する。図４におけるタッチパネル部２０４１は、ＬＣＤ（Ｌｉｑｕｉｄ  Ｃｒｙｓｔａｌ  Ｄｉｓｐｌａｙ：液晶表示部）とその上に貼られた透明電極からなるタッチパネルディスプレイである。ＬＣＤに表示されるキー相当の部分の透明電極を指で触れると、それを検知して別の操作画面を表示するなど予め設定されているプログラムに従って画面の表示が制御される。同図は、スタンバイモード時の初期画面であり、ユーザによる操作に応じて様々な操作画面が表示される。
【００２４】
コピータブ４０１は、コピー動作の操作画面に遷移するためのタブキーである。送信タブ４０２は、ファックスやＥ−ｍａｉｌ送信など送信（Ｓｅｎｄ）動作を指示する操作画面に遷移するためのタブキーである。ボックスタブ４０３は、ボックス（ユーザごとにジョブを格納する記憶手段）に対してジョブを入出力操作するための画面に遷移するためのタブキーである。オプションタブ４０４は、スキャナ設定など拡張機能を設定するためのタブキーである。システムモニタキー４０５は、ＭＦＰの状態や状況を表示するためのキーである。これらの各タブを選択することで、それぞれの操作モードに遷移することができる。色選択設定キー４０６は、カラーコピー、白黒コピー、あるいは自動選択かを予め選択するためのキーである。倍率設定キー４０７は、等倍、拡大、縮小などの倍率設定を行う画面に遷移するキーである。後処理設定キー４０８はステープルやパンチなどの有無、個数、位置などを設定する画面に遷移するキーである。両面設定キー４０９は、片面印刷か両面印刷かを選択する画面に遷移するキーである。紙サイズ設定キー４１０は、給紙段や紙サイズ、メディアタイプを選択する画面に遷移するキーである。画像モード設定キー４１１は、文字モードや写真モードなど原稿画像に適した画像モードを選択するためのキーである。濃度設定キー４１２は、出力画像を濃くしたり薄くしたり調整するためのキーである。次に、ステータス表示部４１３は、スタンバイ状態、ウォームアップ中、ジャム、エラー等の簡易的な状態表示を行う表示部である。倍率表示部４１４は、倍率設定キーで設定された倍率を表示する。紙サイズ表示部４１５は、紙サイズ設定キーで設定された紙サイズやモードを表示する。枚数表示部４１６は、テンキーで指定された枚数を表示したり、動作中に何枚目を印刷中かを表示したりする。更に、割り込みキー４１７は、コピー動作中に別のジョブを割り込ませる場合に利用する。応用モードキー４１８は、ページ連写、表紙・合紙設定、縮小レイアウト、画像移動など様々な画像処理やレイアウトなどの設定を行う画面に遷移するためのキーである。
【００２５】
次に、用紙タイプ履歴を用いた用紙タイプ設定処理について図５を用いて説明する。図５は、給紙段設定部２０５が、給紙段毎の用紙タイプ履歴を用いて給紙段に用紙タイプを設定する処理を示すフローチャートである。尚、図５のフローチャートに示す各処理は、メモリ２０２に保存されているプログラムを制御部２０１が実行することにより、制御部２０１、表示制御部２０３、及び給紙段設定部２０５により実行される。
【００２６】
ステップＳ５０１において、制御部２０１は、タッチパネル部２０４１に表示されている図７に示す共通仕様設定画面において用紙設定キー７０２がユーザにより押下されるかを監視している。ここで、用紙設定キー７０２が押下されると、タッチパネル部２０４１の表示が図８の給紙段選択画面に切り替わると共に、ステップＳ５０２へ移行する。
【００２７】
ステップＳ５０２において、制御部２０１は、給紙段選択画面において用紙タイプ設定の対象となる給紙段キーがユーザにより押下されるかを監視している。複数ある給紙段キーが押下されると、ステップＳ５０３へ移行する。ここで画像形成装置１０が有する複数の給紙段のうち、ステップＳ５０２において押下された給紙段キー（図８における８０２）に対応する給紙段が、用紙タイプ設定対象の給紙段（対象給紙段）となる。
【００２８】
ステップＳ５０３において、制御部２０１は、履歴設定キー８０４が押下されるかを監視している。ここで、履歴設定キー８０４が押下されると、ステップＳ５０４へ移行する。一方、履歴設定キー８０４が押下されず、設定キー８０３が押下されるとステップＳ５０９へ移行する。
【００２９】
ステップＳ５０４において、給紙段設定部２０５は、給紙段毎の用紙タイプ履歴情報を給紙段設定履歴記憶部２１１から取得するとともに、取得した用紙タイプ履歴情報を表示制御部２０３に伝達する。ステップＳ５０５において、表示制御部２０３は、ステップＳ５０４で給紙段設定部２０５より伝達された用紙タイプ履歴情報に基づいて、複数の給紙段毎の用紙タイプ履歴が選択可能な状態の履歴設定画面をタッチパネル部２０４１に表示する。尚、図９はここで表示される履歴設定画面の一例を示す図である。またステップＳ５０５の詳細については図６を用いて後述する。上記履歴設定画面においては、用紙タイプ設定対象の給紙段のみならず、画像形成装置１０が有するほかの給紙段についても給紙段毎の用紙タイプ履歴が選択可能に表示される。これにより、ユーザは用紙設定対象の給紙段だけでなく、他の給紙段の用紙タイプ履歴からも用紙タイプを選択することができる。
【００３０】
ステップＳ５０６において、制御部２０１は、ステップＳ５０５で表示された履歴設定画面を介してユーザにより複数の給紙段毎用紙タイプ履歴から特定の用紙タイプ履歴が選択され、用紙タイプ設定が指示されるのを待つ。ここで、特定の用紙タイプ履歴が選択され、用紙タイプ設定が指示された場合ステップＳ５０７へ移行する。一方、特定の用紙タイプ履歴が選択されず、キャンセルキー９０８が押下された場合、ステップＳ５０３へ移行する。
【００３１】
ステップＳ５０７において、給紙段設定部２０５は、ステップＳ５０２で決定された対象給紙段に対して、ステップＳ５０６で選択された用紙タイプを設定する。ステップＳ５０８において、給紙段設定部２０５は、給紙段設定履歴記憶部２１１の用紙タイプ履歴情報を更新する。具体的には、ステップＳ５０７またはステップＳ５０９で、対象給紙段に対して設定された用紙タイプを、用紙タイプ設定給紙段の用紙タイプ履歴情報に追加して書き込む。このように、設定された給紙段毎の用紙タイプ履歴情報を給紙段設定履歴記憶部２１１に記憶しておくことで、次回の用紙タイプ設定において、今回の用紙タイプ履歴情報に基づいて設定を行うことが可能となる。
【００３２】
ステップＳ５０９において、給紙段設定部２０５は、ステップＳ５０２で決定された対象給紙段に対して、ユーザの操作にしたがって新規に用紙サイズ、用紙種別などの用紙タイプを設定する。
【００３３】
次に、図６のフローチャートを用いて、図５のステップＳ５０５における履歴設定画面の表示処理について詳細に説明する。尚、尚、図６のフローチャートに示す各処理は、メモリ２０２に保存されているプログラムを制御部２０１が実行することにより、制御部２０１、表示制御部２０３、及び給紙段設定部２０５により実行される。
【００３４】
ステップＳ６０１において、制御部２０１は、図５のステップＳ５０２において用紙タイプ設定給紙段に決定された給紙段の給紙段情報を取得し、取得した給紙段情報を給紙段設定部２０５に伝達する。ここで、各給紙段の給紙段情報は、画像形成装置１０の設定情報として記憶部２１０に記憶されている。また、給紙段情報にはどのような用紙タイプの用紙情報が設定可能かを示す情報が含まれる。
【００３５】
ステップＳ６０２において、給紙段設定部２０５は、対象給紙段の給紙段情報と、取得された用紙タイプ履歴情報に基づいて、対象給紙段で設定可能な用紙タイプの用紙タイプ履歴が強調表示された状態の履歴設定画面を表示するように操作部２０４を制御する。これは、給紙段によっては、給紙できない用紙タイプがあるため、給紙段に設定できない用紙タイプが設定されるのを防ぐためである。尚、本実施例においては、より優先度の高い用紙タイプである対象給紙段で設定可能な用紙タイプの用紙タイプ履歴を強調表示したが、この方法に限らない。ここでは、対象給紙段で設定可能な用紙タイプの用紙タイプ履歴と、対象給紙段で設定不可能な用紙タイプの用紙タイプ履歴とをユーザが識別可能な状態で履歴設定画面を表示さられればよい。例えば、優先度の低い用紙タイプである対象給紙段で設定不可能な用紙タイプの用紙タイプ履歴をグレーアウト表示し選択不可能な状態の履歴設定画面を表示させてもよい。
【００３６】
ステップＳ６０３において、給紙段設定部２０５は、対象給紙段における給紙段開閉イベントが、一定期間内に制御部２０１に通知されているか否かを判断する。給紙段開閉イベントが通知されていると判断された場合には、ステップＳ６０４へ移行し、一方、給紙段開閉イベントが通知されていないと判断された場合には処理を終了する。この判断により、ユーザが用紙タイプの設定を行う前、もしくは設定の最中に対象給紙段が開けられたか否かが判断される。尚、一定期間はユーザにより任意の期間が設定できる構成であってもよく、また、エラー発生時から判断が行われるまでの期間、用紙設定処理が開始してから判断が行われるまでの期間など、特定のイベントから判断が行われるまでの期間であってもよい。
【００３７】
ステップＳ６０４において、給紙段設定部２０５は、複数の給紙段毎の用紙タイプ履歴のうち、対象給紙段に現在設定されている用紙タイプとは異なる用紙タイプの用紙タイプ履歴を強調表示するように表示制御部２０３を制御する。ユーザが用紙タイプの設定を行う前、もしくは設定の最中に対象給紙段が開けられた場合には、現在設定されている用紙タイプとは異なる用紙タイプに設定を変更可能性が高い。そのため、上記の処理によりユーザに対して現在の用紙タイプ以外の設定がどれであるかを分かりやすく表示することが可能となる。尚、本実施例においては、より優先度の高い用紙タイプである対象給紙段に現在設定されている用紙タイプとは異なる用紙タイプの用紙タイプ履歴を強調表示したが、この方法に限らない。ここでは、対象給紙段に現在設定されている用紙タイプ履歴と、対象対象給紙段に現在設定されている用紙タイプとは異なる用紙タイプの用紙タイプ履歴とをユーザが識別可能な状態で履歴設定画面を表示さられればよい。例えば、優先度の低い用紙タイプである対象給紙段に現在設定されている用紙タイプの用紙タイプ履歴をグレーアウト表示し選択不可能な状態の履歴設定画面を表示させてもよい。
【００３８】
次に、ユーザが用紙タイプ設定をする際にタッチパネル部２０４１において表示される画面の一例について図７から図９を用いて説明する。
【００３９】
図７は、図３のユーザモードキー３１０が押下された場合にタッチパネル部２０４１に表示される共通仕様設定画面の一例を示す図である。共通仕様設定画面７００では、印刷時の共通仕様を設定する項目が表示される。カセットオート選択ＯＮ／ＯＦＦ設定キー７０１、用紙設定キー７０２、用紙選択画面優先表示設定キー７０３、節電モード変更キー７０４、スリープ時省電力設定キー７０５が押下されると、表示制御部２０３は、それぞれのキーに応じた設定画面を表示する。スクロールキー７０６、７０７が押下されることで、表示制御部２０３はその他の設定項目を表示する。閉じるキー７０８が押下されると、表示制御部２０３は共通仕様設定画面７００を閉じる。
【００４０】
図８は、図７の共通仕様設定画面７００において、用紙設定キー７０２が押下された場合にタッチパネル部２０４１に表示される給紙段選択画面の一例を示す図である。給紙段選択画面８００では、ユーザにより用紙タイプ設定を行う対象の給紙段が選択される。給紙段キー８０１は、用紙タイプ設定が可能な各給紙段に対応するキーであり、給紙段キーが押下されることで、押下された給紙段キーに対応する給紙段が対象給紙段となる。本実施例では、画像形成装置１０は５つの給紙段を有している。また、ユーザが給紙段キーを押下すると８０２のように選択された箇所が分かるように表示が切り替わる。
【００４１】
設定キー８０３は、新規に用紙サイズと用紙種別など複数の項目を選択し用紙タイプを設定する際に押下する。これは従来からの用紙タイプ設定方法である。履歴設定キー８０４が押下されると、表示制御部２０３は、図９に示す履歴設定画面９００を表示する。ユーザが以前使用した用紙であれば、履歴設定キー８０４を押下することで、用紙サイズや用紙種別といった複数の項目を、膨大な選択肢から選択する面倒な操作を回避し、用紙タイプ履歴から用紙タイプを設定することが可能となる。用紙設定表示部８０５では、給紙段キー８０１のうちユーザにより選択された対象給紙段に現在設定されている用紙タイプの情報を表示する。閉じるキー８０６が押下されると、表示制御部２０３は給紙段選択画面８００を閉じ、共通仕様設定画面７００を表示する。
【００４２】
図９は、図８の給紙段選択画面８００において、履歴設定キー８０４が押下された場合にタッチパネル部２０４１に表示される履歴設定画面の一例を示す図である。
履歴設定画面９００では、ユーザにより、対象給紙段に設定する用紙タイプに対応する用紙タイプ履歴が複数の給紙段毎の用紙タイプ履歴から選択され、選択に応じた用紙タイプの設定が行われる。
【００４３】
給紙段別履歴表示部９０１、９０２、９０３は給紙段毎の用紙タイプ履歴を表示する。ユーザは、表示されている給紙段毎の用紙タイプ履歴のうちいずれかを選択することで、選択した用紙タイプ履歴に対応する用紙タイプを対象給紙段に設定することができる。ここでユーザは用紙の給紙段選択画面８００で選択した対象給紙段とは異なる給紙段の用紙タイプ履歴からも対象給紙段に設定する用紙タイプの用紙タイプ履歴を選択することができる。尚、履歴１（９０１）は、現在給紙段に設定されている用紙タイプを表す用紙タイプ履歴である。また、本実施例では履歴１から履歴３まで、それぞれの給紙段毎に３種類の用紙タイプ履歴を表示しているが、これに限らず、３種類以上の用紙タイプ履歴を表示しても構わない。
【００４４】
用紙タイプ履歴９０４は、優先度が高く、強調表示されている用紙タイプ履歴の例を示すものである。本実施例においては、対象給紙段に設定可能な用紙タイプの用紙タイプ履歴が強調表示される。一方、用紙タイプ履歴９０５は、優先度が低く、強調表示されていない用紙タイプ履歴の例を示すものである。本実施例においては対象給紙段に設定不可能な用紙タイプの用紙タイプ履歴が強調表示されない。尚、この表示方法は一例であり、優先度が低い用紙タイプの用紙タイプ履歴をグレーアウト表示し、選択不可能にする方法であってもよい。
【００４５】
ジョブ履歴選択キー９０６は、給紙段毎の用紙タイプ履歴ではなく、印刷ジョブ毎の用紙タイプ履歴から設定する用紙タイプを選択する際に押下される。ジョブ履歴からの選択については実施例３において後述する。過去履歴選択するキー９０７を押下すると、履歴１〜３より前に各給紙段に設定されていた用紙タイプ履歴に表示を切り替える。キャンセルキー９０８を押下すると設定は保存されず、用紙の履歴設定画面９００を閉じ、図４のコピー画面に戻る。ユーザによりキャンセルキー９０８が押下されると選択された用紙タイプを対象給紙段に設定し、用紙の履歴設定画面９００を閉じ、コピー画面に戻る。
【００４６】
図１０は、給紙段設定履歴記憶部２１１が保持する給紙段毎の用紙タイプ履歴情報の一例を示す図ある。図１０に示される用紙タイプ履歴情報は、図５のステップＳ５０８において、給紙段設定履歴記憶部２１１に保存される。
【００４７】
各給紙段１００２に対して履歴１００１が保持される。尚、用紙タイプ履歴は給紙段毎に独立しており、給紙段１の履歴１と給紙段２の履歴１とは画像形成装置１０において同時期に設定されていない可能性もある。保持されている用紙タイプ履歴情報に含まれる複数の項目の例として、用紙種別１００３、用紙サイズ１００４、用紙の各種パラメータ１００５、メディアＩＤ１００６と使用された印刷ジョブＩＤ１００７が挙げられる。このように、用紙タイプ履歴情報としては、用紙タイプと、その用紙タイプが使用されたジョブＩＤといったジョブ履歴とが関連付けて保持されている。尚、パラメータ１００５には、用紙の坪量や表面性など用紙タイプを定義づけるパラメータが含まれる。また、用紙タイプ履歴情報は図１０に示す例に限らず、他の情報が保存されても構わない。
【００４８】
以上の通り、実施例１で示したように、給紙段毎の用紙タイプ履歴からユーザが用紙設定可能となることで、従来のように毎回新規に用紙サイズと用紙種別を選択し設定する手間が省ける。また、給紙段別の用紙タイプ履歴を表示する際に、対象給紙段に給紙可能な用紙を強調表示することで、ユーザが給紙できない設定を給紙段に設定してしまう設定ミスを防ぐことができる。
【実施例２】
【００４９】
実施例２では、印刷ジョブの印刷実行中に画像形成装置１０の給紙段において用紙なしエラーが発生し、エラーが発生した給紙段に用紙タイプ設定をする場合の処理について、図１１、図１２のフローチャート及び、図１３、図１４の表示画面例を用いて説明する。尚、本実施例に適用する画像形成システムは実施例１と同様であるため、説明は省略する。また、実施例１にて図５を用いて説明した処理と同様な部分については同様の符号を用いて説明を省略し、以下異なる部分について主に説明をする。
【００５０】
図１１は、画像形成装置１０の給紙段において用紙なしエラーが発生し、用紙なしエラーが発生した給紙段（エラー給紙段）に用紙タイプ設定をする処理を示すフローチャートである。尚、図１１のフローチャートに示す各処理は、メモリ２０２に保存されているプログラムを制御部２０１が実行することにより、制御部２０１、表示制御部２０３、及び給紙段設定部２０５により実行される。
【００５１】
ステップＳ１１０１において、制御部２０１は、印刷部２０９からの用紙なしエラーのイベント通知を監視している。ここで印刷部２０９から用紙なしエラー通知があった場合には、ステップＳ５０６へ移行する。尚、用紙なしエラーのイベント通知は、画像形成装置１０の給紙段において用紙なしエラーが発生した際に、印刷部２０９から制御部２０１に対して通知される。
【００５２】
ステップＳ５０１〜ステップＳ５０４の後、ステップＳ１１０２において、給紙段設定部２０５は、ステップＳ１１０１で印刷部２０９から受け取った用紙なしエラーのイベント通知からエラーの用紙なしエラーの種類を判断する。用紙なしエラーの種類が、給紙段紙なしエラーであると判断された場合には、ステップＳ１１０３へ移行する。一方、用紙なしエラーの種類が用紙未設定エラーであると判断された場合には、ステップＳ１１０５に移行する。尚、給紙段紙なしエラーとは、エラー給紙段において紙が全て使い切られてしまい、一枚も無い状態であることによるエラーである。また、用紙未設定エラーとは、画像形成装置１０のいずれの給紙段にも実行中の印刷ジョブで次ページの印刷に必要な用紙タイプが設定されていないことによるエラーである。
【００５３】
ステップＳ１１０３において、給紙段設定部２０５は、エラー給紙段に関する情報を制御部２０１から取得することで、複数の給紙段からエラー給紙段を特定する。ステップＳ１１０４において、給紙段設定部２０５は、ステップＳ１１０３で特性されたエラー給紙段の用紙タイプ履歴情報を給紙段設定履歴記憶部２１１から検出する。そして、検出した情報の中からエラー給紙段において現在設定されている用紙タイプの用紙タイプ履歴（履歴１）が強調表示された状態の履歴設定画面を表示するように操作部２０４を制御する。
【００５４】
尚、本実施例においては用紙なしエラーが発生したことにより、エラー給紙段において用紙タイプの設定が解除されないことを前提にして説明したが、そうでない場合においても本発明を適用可能である。例えば、画像形成装置１０において、用紙なしエラーが発生するとエラー給紙段に設定されていた用紙タイプが解除されてしまう構成であった場合は、ステップＳ１１０４において、以下の処理を行う。即ち、給紙段設定部２０５は、エラー給紙段においてエラーによる解除前に設定されていた用紙タイプの用紙タイプ履歴が強調された状態の履歴設定画面を表示するように操作部２０４を制御する。
【００５５】
このようにいずれの構成であっても、用紙なしエラーの種類が給紙段紙なしエラーである場合にはエラー給紙段の最新の用紙タイプ履歴を強調表示する。給紙段紙なしエラーは、印刷中に用紙を使いきりなくなってしまった場合に起こることが多く、そのような場合にユーザは、なくなってしまった用紙と同じ用紙タイプを設定し直したい場合が多い。そのため、エラー給紙段における最新の用紙タイプ履歴を強調表示することで、なくなってしまった用紙タイプが何であるのかをユーザは容易に認識することが可能となる。尚、本実施例においては、より優先度の高い用紙タイプであるエラー給紙段の最新の用紙タイプ履歴を強調表示したが、この方法に限らない。ここでは、エラー給紙段の最新の用紙タイプ履歴と、エラー給紙段の最新の用紙タイプ履歴とは異なる用紙タイプ履歴とをユーザが識別可能な状態で履歴設定画面を表示さられればよい。例えば、優先度の低い用紙タイプであるエラー給紙段の最新の用紙タイプ履歴とは異なる用紙タイプ履歴をグレーアウト表示し選択不可能な状態の履歴設定画面を表示させてもよい。
【００５６】
ステップＳ１１０５において、給紙段設定部２０５は、用紙なしエラーが発生した際に実行されていた印刷ジョブにおいて指定されている次ページの印刷に必要な用紙タイプの情報を取得する。ステップＳ１１０６において、給紙段設定部２０５は、ステップＳ１１０５で取得した、次ページの印刷に必要な用紙タイプに一致する用紙タイプ履歴が給紙段設定履歴記憶部２１１に存在するか否かを判定する。次ページの印刷に必要な用紙タイプに一致する用紙タイプ履歴が給紙段設定履歴記憶部２１１に存在すると判定された場合には、ステップＳ１１０７へ移行する。一方、次ページの印刷に必要な用紙タイプに一致する用紙タイプ履歴が給紙段設定履歴記憶部２１１に存在しないと判定された場合には、ステップＳ５０９へ移行する。
【００５７】
ステップＳ１１０７において、給紙段設定部２０５は、給紙段毎の用紙タイプ履歴のうち、印刷ジョブにおいて次ページに対して指定されている用紙タイプの用紙タイプ履歴が強調表示された状態の履歴設定画面を表示するように操作部２０４を制御する。用紙未設定エラーは、印刷ジョブにおいて次ページの印刷に必要な用紙タイプが設定されていないことが原因で発生するため、ユーザは給紙段に対して次ページの印刷に必要な用紙タイプを設定する必要がある。ステップＳ１１０７において、次ページの印刷に必要な用紙タイプの用紙タイプ履歴を強調表示することにより、ユーザは設定すべき用紙タイプを用紙に認識することが可能となる。尚、本実施例においては、より優先度の高い用紙タイプである印刷ジョブにおいて次ページに対して指定されている用紙タイプの用紙タイプ履歴を強調表示したが、この方法に限らない。ここでは、次ページに対して指定されている用紙タイプの用紙タイプ履歴と、次ページに対して指定されている用紙タイプの用紙タイプ履歴とは異なる用紙タイプ履歴とをユーザが識別可能な状態で履歴設定画面を表示さられればよい。例えば、優先度の低い用紙タイプである次ページに対して指定されている用紙タイプの用紙タイプ履歴とは異なる用紙タイプ履歴をグレーアウト表示し選択不可能な状態の履歴設定画面を表示させてもよい。
【００５８】
ステップＳ１１０８において、印刷部２０９は印刷ジョブの印刷を再開する。
【００５９】
尚、本実施例においては、発生した用紙なしエラーの種類に応じて、履歴設定画面の表示内容を変更した。しかしながら、用紙エラーの種類に関わらず、印刷ジョブにおいて次ページに指定されている用紙タイプを給紙段に対して設定する構成であっても構わない。この構成について、図１２を用いて説明する。
【００６０】
図１２では、図１１のステップＳ５０２において、用紙タイプ設定対象の給紙段キーが押下された後に実行される処理を示すフローチャートである。
【００６１】
ステップＳ１２０１において、給紙段設定部２０５は、印刷ジョブにおいて次ページに指定されている用紙情報を取得する。ステップＳ１２０２において、給紙段設定部２０５は、ステップＳ１２０１で取得した用紙タイプが記憶部２１０に登録されているか否かを判断する。登録されていると判断された場合にはステップＳ１２０３へ移行する。一方登録されていないと判断された場合には処理を終了する。
【００６２】
ステップＳ１２０３において、給紙段設定部２０５は、ステップＳ１２０１で取得した用紙タイプを給紙段選択画面１３００にユーザによる選択が可能な状態で表示させるように表示制御部２０３を制御する。ステップＳ１２０４において、制御部２０１は、前記ステップで表示された用紙タイプが押下されるかを監視する。表示された給紙要求用紙が押下され、対象給紙段に設定するように選択されたと判断された場合には、ステップＳ１２０５へ移行する。選択されなかった場合には処理を終了する。ステップＳ１２０５では、給紙段設定部２０５がステップＳ６０２で選択された給紙段に前記ステップＳ１２０４で選択された用紙タイプを設定する。以上の処理により、ユーザは少ない操作で印刷ジョブにおいて次ページに指定されている用紙タイプを設定することが可能になる。
【００６３】
図１３は、実施例２における給紙段選択画面の一例を示す図である。図１３における給紙段選択画面１３００は、図８の給紙段選択画面８００とほぼ同様であるため、異なる部分のみを以下で説明する。
【００６４】
給紙段選択画面１３００の次ページの給紙要求紙設定キー１３０１は、次ページに指定されている用紙タイプをジョブから検出し表示している。ジョブで要求されている用紙が画像形成装置１０の記憶部２１０に登録されていればこの給紙要求紙設定キー１３０１は有効となり、ユーザが押下すれば用紙なしエラーが発生した場合に１クリックで設定することが可能となる。但し、次ページで要求されている用紙タイプが画像形成装置１０に既に登録されていなければ１３０１の給紙要求紙キーは表示されない。
【００６５】
図１４（ａ）及び１４（ｂ）では、用紙なしエラーの種類により履歴設定画面で強調表示する用紙タイプ履歴を切り替える例を示す。図１４（ａ）は、エラー給紙段（給紙段１）で使用していた紙が全て使いきられ、用紙なしエラーが発生した場合の表示の一例を示す図である。この例では、用紙なしエラーの種類が給紙段紙なしエラーであるため、エラー給紙段（給紙段１）の最新の用紙タイプ履歴である用紙タイプ履歴１４０１が強調表示されている。一方で、図１４（ｂ）は、画像形成装置１０のいずれの給紙段にも実行中の印刷ジョブで次ページの印刷に必要な用紙タイプが設定されていないことによる用紙なしエラーが発生した場合の表示の一例を示す図である。この例では、次の印刷ページがＬＴＲサイズでＡｎｙＭｅｄｉａ指定だった場合、用紙タイプ履歴のうち強調表示されるのはＬＴＲサイズ１４０２と１４０３の用紙のみとなる。因みに１４（ｂ）の例では、用紙タイプはＡｎｙＭｅｄｉａであるため、普通紙、色紙など用紙タイプに関係なく強調表示している。但し、印刷ジョブで要求された用紙がＬＴＲで且つ用紙タイプがＡｎｙＭｅｄｉａではなく色紙指定の場合には１４０３の箇所のみ強調表示されることになる。
【００６６】
このように用紙なしエラーの種類に応じて給紙段履歴で強調表示する用紙を切り替え、ユーザが設定する可能性が高い用紙をユーザが容易に選択できるようにすることで、用紙なしエラー発生から用紙タイプ設定、印刷再開までの処理を短縮することが可能となる。
【実施例３】
【００６７】
上記の実施例１、２では給紙段選択画面で選択された１つの対象給紙段に対して用紙タイプ設定を行う例について説明した。実施例３では、同一のジョブで使用された複数の給紙段の用紙タイプ履歴情報であるジョブ履歴を使用して、複数の給紙段に対して一度に用紙タイプ設定を行う例について図１５、図１６、図１７を用いて説明する。尚、本実施例に適用する画像形成システムは実施例１と同様であるため、説明は省略する。また、図１５のフローチャートにおいて、実施例１にて図５を用いて説明した処理と同様な部分については同様の符号を用いて説明を省略し、以下異なる部分について主に説明をする。また、本実施例においては、給紙段選択画面として図１６に示す画面が表示される。図１６の給紙段選択画面と図８の給紙段選択画面との違いは、ジョブ履歴設定キー１６０１の有無である。
【００６８】
図１５は、ジョブ履歴を用いて用紙タイプを設定する処理を示すフローチャートである。尚、図１５のフローチャートに示す各処理は、メモリ２０２に保存されているプログラムを制御部２０１が実行することにより、制御部２０１、表示制御部２０３、及び給紙段設定部２０５により実行される。
【００６９】
ステップＳ１５０１において、制御部２０１は、図１６に示す給紙段選択画面においてジョブ履歴設定キー１６０１がユーザにより押下されるかを監視している。複数ある給紙段キーが押下されると、ステップＳ１５０２へ移行する。尚、この給紙段選択画面においてユーザは対象給紙段を選択することも可能である。
【００７０】
ステップＳ１５０２において、給紙段設定部２０５は、ジョブ履歴情報を給紙段設定履歴記憶部２１１から取得するとともに、取得したジョブ履歴情報を表示制御部２０３に伝達する。ここで、ジョブ履歴情報とは、実行された印刷ジョブに対応付けられた用紙タイプ履歴情報である。例えば、印刷ジョブＡが実行された際に、給紙段１では「Ａ４の普通紙」、給紙段２「Ａ３の厚紙」、給紙段３では「Ｂ４の普通紙」が設定されていたという情報である。ステップＳ１５０３において、制御部２０１は、図１６に示す給紙段選択画面において、用紙タイプ設定の対象となる対象給紙段が決定されているか否かを判断する。対象給紙段が決定されていると判断された場合は、ステップＳ１５０４に移行し、一方対象給紙段が決定されていないと判断された場合は、Ｓ１５０５に移行する。
【００７１】
ステップＳ１５０４において、表示制御部２０３は、給紙段設定部２０５より伝達されたジョブ履歴情報に基づく給紙段単位の履歴設定画面を表示する。図１７（ａ）はここで表示される履歴設定画面の一例を示す図である。図１７（ａ）の履歴設定画面では、過去の印刷ジョブ（ジョブ履歴１〜ジョブ履歴３）毎に、各給紙段で設定された用紙タイプ履歴（例えば１７０１）が選択可能に表示される。ユーザにより、選択可能な用紙タイプ履歴のうちいずれかが選択されると、給紙段設定部２０５は、選択された用紙タイプを対象給紙段に対して設定する。尚、本実施例においては、対象給紙段に関わらず、ジョブ履歴を表示しているが、例えば、対象給紙段が給紙段１であった場合には、給紙段１を使用したジョブ履歴のみを表示する構成であっても構わない。
【００７２】
ステップＳ１５０５において、表示制御部２０３は、給紙段設定部２０５より伝達されたジョブ履歴情報に基づくジョブ単位の履歴設定画面を表示する。図１７（ｂ）はここで表示される履歴設定画面の一例を示す図である。図１７（ｂ）の履歴設定画面では、過去の印刷ジョブ（ジョブ履歴１〜ジョブ履歴３）毎に、各給紙段で設定された用紙タイプ履歴が表示され、ジョブ履歴のそれぞれが選択可能に表示される。尚、１つのジョブ内で複数回同じ給紙段が別の用紙タイプで使用された場合には、一回目に使用された用紙を表示する。また、ジョブ履歴で使用された給紙段が存在しない場合には、その給紙段の用紙タイプは表示しない。
【００７３】
ステップＳ１５０６において、制御部２０１は、ステップＳ１５０５で表示された履歴設定画面を介してユーザにより複数のジョブ履歴から特定のジョブ履歴が選択され、ジョブ単位での用紙タイプ設定が指示されるのを待つ。ここで、特定のジョブ履歴が選択され、用紙タイプ設定が指示された場合ステップＳ１５０７へ移行する。一方、特定の用紙タイプ履歴が選択されず、キャンセルキーが押下された場合、ステップＳ１５０１へ移行する。
【００７４】
ステップＳ１５０７において、給紙段設定部２０５は、ステップＳ１５０６で選択されたジョブ履歴に対応する各給紙段に対して、選択されたジョブ履歴に対応する用紙タイプを設定する。例えば、図１７（ｂ）の履歴設定画面において、ジョブ履歴１（１７０２）が選択された場合には、給紙段設定部２０５は、給紙段１に対して「Ａ４の普通紙」、給紙段２に対して「Ａ３の厚紙」、給紙段３に対して「Ｂ４の普通紙」をそれぞれ設定する。
【００７５】
本実施例ように、ジョブ履歴情報に基づいた用紙タイプ選択を可能とすることで、ユーザがどの給紙段にどの用紙タイプを設定すればよいかの判断を容易することができる。また、対象給紙段が決定されているか否かで、表示及び選択方法を切り替えることで、ユーザの利便性を増すことができる。さらに、ジョブ毎に以前使用した複数種類の用紙タイプを複数の給紙段にまとめて設定可能にすることで、作業効率を向上させることができる。
【実施例４】
【００７６】
図１８では、実施例１〜３のタッチパネル部２０４１で表示した給紙段履歴の設定をリモートＵＩで表示した例である。給紙段履歴の設定、制御等は図５のフローと同じである。
リモートＵＩ１８００は外部インターフェイス２０７を介してクライアントＰＣ４０からアクセス可能であり、画像形成装置１０の設定を閲覧、編集ができる。
【００７７】
給紙段表示部１８０１では、画像形成装置１０に接続される給紙段を表示する。設定用紙タイプ表示部１８０２は、給紙段にセットされている用紙タイプ情報を表示する。履歴表示部１８０３は、各給紙段の履歴情報を表示する。用紙選択表示部１８０４は履歴表示から給紙段に設定する用紙タイプを選択表示する。設定適応部１８０５では、１８００で設定した内容を外部インターフェイス２０７に伝達する。
【００７８】
ユーザはタッチパネル部２０４１だけからでなく、リモートＵＩからも同様に給紙段毎履歴から設定可能であることで、ユーザの用紙登録を行う際の操作性をあげる。また、リモートＵＩから画像形成装置１０の保持する給紙段設定履歴記憶部２１１とジョブ履歴記憶部２１２の情報をエクスポート及びインポートすることが可能であれば、別の画像形成装置で使用した給紙段履歴情報を使用することが可能となる。
【００７９】
以上、本発明の各実施例について具体例を挙げて説明したが、本発明は上記の実施例に限定されるものではない。また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００８０】
１０  画像形成装置
２０１  制御部
２０２  メモリ
２０３  表示制御部
２０４  操作部
２０５  給紙段設定部
２１０  印刷部
【図１】
0005448765.tif 000002
【図２】
0005448765.tif 000003
【図３】
0005448765.tif 000004
【図４】
0005448765.tif 000005
【図５】
0005448765.tif 000006
【図６】
0005448765.tif 000007
【図７】
0005448765.tif 000008
【図８】
0005448765.tif 000009
【図９】
0005448765.tif 000010
【図１０】
0005448765.tif 000011
【図１１】
0005448765.tif 000012
【図１２】
0005448765.tif 000013
【図１３】
0005448765.tif 000014
【図１４】
0005448765.tif 000015
【図１５】
0005448765.tif 000016
【図１６】
0005448765.tif 000017
【図１７】
0005448765.tif 000018
【図１８】
0005448765.tif 000019